(57)【要約】      （修正有）【課題】筒状容器の内部に飲料粉末を収納し、使用したい時に、蓋体を外し内部カバー体の先端に設けた開口を介して飲料粉末を適宜の量取り出して、液体に溶かして飲料することができ、使用しない時には、蓋体により内部カバー体を覆って、再度の使用に備えることができる。【解決手段】携帯用容器Ｔは、一端が閉塞し、他端が開口すると共に、内部に茶、コーヒー等の飲料粉末を収納する筒状容器１と、この筒状容器１の開口の縁部に着脱自在に取り付けられると共に、先端に開口部２ａを有した内部カバー体２と、この内部カバー体２を覆って、内部カバー体２又は筒状容器１の側面に当接して係止する蓋体３とを備えているものである。【選択図】図２
2011126584.tif 000002
【特許請求の範囲】
【請求項１】
一端が閉塞し、他端が開口すると共に、内部に茶、コーヒー等の飲料粉末を収納する筒状容器と、
この筒状容器の開口の縁部に着脱自在に取り付けられると共に、先端に開口を有した内部カバー体と、
この内部カバー体を覆って、前記内部カバー体又は前記筒状容器の側面に当接して係止する蓋体と、
を備えてなることを特徴とする携帯用容器。
【請求項２】
筒状容器の開口の縁部には、雌ねじが形成され、
内部カバー体の開口の縁部には、前記雌ねじに螺合する雄ネジが設けられ、前記内部カバー体の先端に設けられた開口は、漏斗状開口であり、
蓋体には、前記内部カバー体の漏斗状開口の周縁部に当接して、前記漏斗状開口を封止する封止部が設けられている
ことを特徴とする請求項１記載の携帯用容器。
【請求項３】
筒状容器の開口の縁部には、雌ねじが形成され、
内部カバー体には、前記雌ねじに螺合する雄ネジを有し、
蓋体には、前記内部カバー体の先端の開口の周縁部に当接して、前記開口を封止する封止部が設けられ、
蓋体と前記内部カバー体又は前記筒状容器の側面との当接は、前記蓋体の内壁の略全周と前記内部カバー体又は前記筒状容器の側面の略全周である
ことを特徴とする請求項１記載の携帯用容器。
【請求項４】
一端が漏斗状の開口を有し、他端が開口すると共に、内部に茶、コーヒー等の飲料粉末を収納する筒状容器と、
この筒状容器の前記他端の開口の縁部に着脱自在に取り付けられる外部カバー体と、    前記漏斗状の開口を覆って、前記筒状容器の側面に当接して係止する蓋体と、
を備えてなることを特徴とする携帯用容器。
【請求項５】
筒状容器の他端の開口の縁部には、雌ねじが形成され、
外部カバー体には、前記雌ねじに螺合する雄ネジを有し、
蓋体には、前記筒状容器の漏斗状の開口の周縁部に当接して、前記漏斗状の開口を封止する封止部が設けられている
ことを特徴とする請求項４記載の携帯用容器。
【請求項６】
筒状容器の他端の開口の縁部には、雌ねじが形成され、
外部カバー体には、前記雌ねじに螺合する雄ネジを有し、
蓋体には、前記筒状容器の漏斗状の開口の周縁部に当接して、前記漏斗状の開口を封止する封止部が設けられ、
蓋体と前記筒状容器の側面との当接は、前記蓋体の内壁の略全周と前記筒状容器の側面の略全周である
ことを特徴とする請求項４記載の携帯用容器。
【請求項７】
一端が閉塞し、他端が開口すると共に、内部に茶、コーヒー等の飲料粉末を収納する
筒状容器が交換式のカートリッジになっていて、交換前にあっては、前記開口が覆い部材により封止されている
ことを特徴とする請求項１記載の携帯用容器。
【発明の詳細な説明】
【技術分野】
【０００１】
本発明は、携帯用容器に係り、特に、携帯に便利な携帯用容器に関する。
【背景技術】
【０００２】
従来、例えば、茶、コーヒー等の飲料粉末を収納した袋（例えば、特許文献１参照）があるが、該袋は、携帯においてそれ程普及していない。
【先行技術文献】
【特許文献】
【０００３】
【特許文献１】特開２００６−５６５４７号公報
【発明の概要】
【発明が解決しようとする課題】
【０００４】
これは、一袋を複数回に小分けして使用すれば、破った袋を封止しなければならず、面倒であると共に、封止が不完全であると、漏れて周囲を汚してしまうという問題点があった。
【０００５】
本発明は、上記の問題点を除去するようにした携帯用容器を提供することを目的とする。
【課題を解決するための手段】
【０００６】
請求項１記載の携帯用容器は、一端が閉塞し、他端が開口すると共に、内部に茶、コーヒー等の飲料粉末を収納する筒状容器と、この筒状容器の開口の縁部に着脱自在に取り付けられると共に、先端に開口部を有した内部カバー体と、この内部カバー体を覆って、前記内部カバー体又は前記筒状容器の側面に当接して係止する蓋体とを備えているものである。
【０００７】
また、請求項２記載の携帯用容器は、請求項１記載の携帯用容器において、筒状容器の開口の縁部には、雌ねじが形成され、内部カバー体の開口の縁部には、前記雌ねじに螺合する雄ネジが設けられ、前記内部カバー体の先端に設けられた開口は、漏斗状開口であり、蓋体には、前記内部カバー体の漏斗状開口の周縁部に当接して、前記漏斗状開口を封止する封止部が設けられているものである。
【０００８】
また、請求項３記載の携帯用容器は、請求項１記載の携帯用容器において、筒状容器の開口の縁部には、雌ねじが形成され、内部カバー体には、前記雌ねじに螺合する雄ネジを有し、蓋体には、前記内部カバー体の先端の開口の周縁部に当接して、前記開口を封止する封止部が設けられ、蓋体と前記内部カバー体又は前記筒状容器の側面との当接は、前記蓋体の内壁の略全周と前記内部カバー体又は前記筒状容器の側面の略全周である。
【０００９】
また、請求項４記載の携帯用容器は、一端が漏斗状の開口を有し、他端が開口すると共に、内部に茶、コーヒー等の飲料粉末を収納する筒状容器と、この筒状容器の前記他端の開口の縁部に着脱自在に取り付けられる外部カバー体と、前記漏斗状の開口を覆って、前記筒状容器の側面に当接して係止する蓋体とを備えてなるものである。
【００１０】
また、請求項５記載の携帯用容器は、請求項４記載の携帯用容器において、筒状容器の他端の開口の縁部には、雌ねじが形成され、外部カバー体には、前記雌ねじに螺合する雄ネジを有し、蓋体には、前記筒状容器の漏斗状の開口の周縁部に当接して、前記漏斗状の開口を封止する封止部が設けられているものである。
【００１１】
また、請求項６記載の携帯用容器は、請求項４記載の携帯用容器において、筒状容器の他端の開口の縁部には、雌ねじが形成され、外部カバー体には、前記雌ねじに螺合する雄ネジを有し、蓋体には、前記筒状容器の漏斗状の開口の周縁部に当接して、前記漏斗状の開口を封止する封止部が設けられ、蓋体と前記筒状容器の側面との当接は、前記蓋体の内壁の略全周と前記筒状容器の側面の略全周である。
【００１２】
また、請求項７記載の携帯用容器は、一端が閉塞し、他端が開口すると共に、内部に茶、コーヒー等の飲料粉末を収納する筒状容器が交換式のカートリッジになっていて、交換前にあっては、前記開口が覆い部材により封止されているものである。
【発明の効果】
【００１３】
請求項１記載の携帯用容器によれば、筒状容器の内部に飲料粉末を収納して携帯すれば、使用したい時に、蓋体を外し内部カバー体の先端に設けた開口を介して飲料粉末を適宜の量取り出して、液体に溶かして飲料することができ、使用しない時には、蓋体により内部カバー体を覆って、再度の使用に備えることができる。
【００１４】
また、請求項２記載の携帯用容器によれば、上述した請求項１記載の発明の効果に加え、蓋体の封止部を内部カバー体の漏斗状開口の周縁部に当接して、前記漏斗状開口を封止して、筒状容器内の茶、コーヒー等の飲料粉末が外部へ流出するのを防ぐことができる。
【００１５】
また、請求項３記載の携帯用容器によれば、上述した請求項１記載の発明の効果に加え、蓋体の封止部を内部カバー体の先端の開口の周縁部に当接して、前記開口を封止して、筒状容器内の茶、コーヒー等の飲料粉末が外部へ流出するのを防ぐことができ、仮に、漏れても、蓋体と前記内部カバー体又は前記筒状容器の側面との当接は、前記蓋体の内壁の略全周と前記内部カバー体又は前記筒状容器の側面の略全周であるため、漏れた飲料粉末が蓋体の外へ流出するのを防ぐことができる。
【００１６】
また、請求項４記載の携帯用容器によれば、筒状容器の内部に飲料粉末を収納して携帯すれば、使用したい時に、蓋体を外し筒状容器の漏斗状の開口を介して飲料粉末を適宜の量取り出して、液体に溶かして飲料することができ、使用しない時には、蓋体により内部カバー体を覆って、再度の使用に備えることができる。
【００１７】
また、請求項５記載の携帯用容器によれば、上述した請求項４記載の発明の効果に加え、蓋体の封止部を筒状容器の漏斗状の開口の周縁部に当接して、前記漏斗状の開口を封止して、筒状容器内の茶、コーヒー等の飲料粉末が外部へ流出するのを防ぐことができる。
【００１８】
また、請求項６記載の携帯用容器によれば、上述した請求項４記載の発明の効果に加え、蓋体の封止部を内部カバー体の先端の漏斗状の開口に当接して、前記漏斗状の開口を封止して、筒状容器内の茶、コーヒー等の飲料粉末が外部へ流出するのを防ぐことができ、仮に、漏れても、蓋体と前記筒状容器の側面との当接は、前記蓋体の内壁の略全周と前記筒状容器の側面の略全周であるため、漏れた飲料粉末が蓋体の外へ流出するのを防ぐことができる。
【図面の簡単な説明】
【００１９】
【図１】図１は、本発明の一実施例の携帯用容器の携帯状態の概略的斜視図である。
【図２】図２は、図１の携帯用容器の概略的断面図である。
【図３】図３は、図２の一部を拡大して示す概略的一部拡大断面図である。
【図４】図４は、図３の係止前の状態の概略的断面図である。
【図５】図５は、図１の携帯用容器に飲料粉末を入れる状態の概略的斜視図である。
【図６】図６は、図１の携帯用容器の使用状態の概略的斜視図である。
【図７】図７は、図３と異なる他の実施例の概略的断面図である。
【図８】図８は、図７の係止前の状態の概略的断面図である。
【図９】図９は、図７と異なる他の実施例の概略的断面図である。
【図１０】図１０は、図９の係止前の状態の概略的断面図である。
【図１１】図１１は、図９と異なる他の実施例の概略的断面図である。
【図１２】図１２は、図２と異なる他の実施例の概略的断面図である。
【図１３】図１３は、図１２と異なる他の実施例の概略的断面図である。
【図１４】図１４は、図１３と異なる他の実施例の概略的断面図である。
【図１５】図１５は、図１４と異なる他の実施例の概略的断面図で、筒状容器が交換式のカートリッジになっていて、前記筒状容器の開口が覆い部材により封止されている状態を示している。
【図１６】図１６は、図１５の筒状容器を用いた携帯用容器の概略的断面図である。
【図１７】図１７は、図１６の筒状容器の外周を略全体に亘って外周覆い体で覆った状態の概略的断面図である。
【発明を実施するための形態】
【００２０】
本発明の一実施例の携帯用容器を図面を参照して説明する。
図１に示すＴは携帯用容器で、携帯用容器Ｔは、図２及び図５に示すように、筒状容器１、内部カバー体２、蓋体３を備えている。
筒状容器１は、図５に示すように、一端が閉塞し、他端が開口すると共に、内部に茶、コーヒー等の飲料粉末４を収納するものであり、筒状容器１の開口の縁部１ａには、雌ねじが形成されている。
【００２１】
内部カバー体２は、図５に示すように、筒状容器１の開口の縁部１ａに着脱自在に取り付けられると共に、先端に開口２ａが設けられ、内部カバー体２には、筒状容器１の開口の縁部１ａに形成された雌ねじに螺合する雄ネジ２ｂを有している。なお、内部カバー体２の先端に設けられた開口２ａは、例えば、漏斗状となっている。
【００２２】
蓋体３は、内部カバー体２を覆って、内部カバー体２（又は筒状容器１）の側面に当接して係止するもので、蓋体３には、内部カバー体２の先端の開口部２ａの周縁部に当接して、開口２ａを封止（開口を閉鎖すること）する封止部３ａが設けられている。
なお、図２において、蓋体３は内部カバー体２の側面に当接して係止しているが、図示しないが、蓋体３は筒状容器１の側面に当接して係止するようにしても良い（以下の実施例においても同様である。）。
そして、蓋体３と内部カバー体２（又は筒状容器１）の側面との当接は、蓋体３の内壁の略全周と内部カバー体２（又は筒状容器１）の側面の略全周となっている。また、３ｂは、ポケット５に係止させるためのクリップで、クリップ３ｂは蓋体３の外側に設けられている。
【００２３】
従って、上述した図１乃至図６記載の携帯用容器Ｔによれば、筒状容器１の内部に飲料粉末４を収納して携帯すれば、使用したい時に、蓋体３を外し内部カバー体２の先端に設けた開口部２ａを介して飲料粉末４を適宜の量取り出して、液体に溶かして飲料することができ（図６参照）、使用しない時には、蓋体３により内部カバー体２を覆って、再度の使用に備えることができる（図１参照）。
また、蓋体３の封止部３ａを内部カバー体２の先端の開口部２ａの周縁部に当接して、開口２ａを封止して、筒状容器１内の茶、コーヒー等の飲料粉末４が外部へ流出するのを防ぐことができ、仮に、漏れても、蓋体３と内部カバー体２（又は筒状容器１）の側面との当接は、蓋体３の内壁の略全周と内部カバー体２（又は筒状容器１）の側面の略全周であるため、漏れた飲料粉末４が蓋体３の外へ流出するのを防ぐことができる。
更に、筒状容器１内の茶、コーヒー等の飲料粉末４がなくなった場合、図５に示すように、袋６内の飲料粉末４を筒状容器１内に入れることができる。
【００２４】
なお、上述の実施例においては、蓋体３の封止部３ａの形状は、開口２ａに向かって先細り形状となっているが（図３及び図４参照）、本願発明にあっては、これに限らず、例えば、図７及び図８に示すように、封止部３ａの外側に開口２ａの外周に当接する外側
封止部３ｃを設けても良く、また、図９及び図１０に示すように、先細り形状でなくても、開口２ａの内壁に当接する封止部３ａ’でも良く、また、図１１に示すように、先細り形状でなくても、開口２ａの端部に当接する封止部３ａ”でも良い。
【００２５】
また、図１２に示すように、筒状容器１に内部カバー体２の移動を規制するストッパー部１ｂを設けても良い。
また、上述の実施例においては、クリップ３ｂは蓋体３に設けられているが、図１３に示すように、筒状容器１にクリップ１ｂを設けても良い。
【００２６】
また、上述の実施例においては、筒状容器１と内部カバー体２とを別個に設けたが、本願発明にあっては、これに限らず、筒状容器１に飲料粉末４の流出口を設けても良い。    即ち、図１４において、筒状容器１は、一端が漏斗状の開口１ｃを有し、他端が開口１ｄすると共に、内部に茶、コーヒー等の飲料粉末を収納するものである。
筒状容器１の他端の開口１ｄの縁部に外部カバー体７が着脱自在に取り付けられる。    着脱は、例えば、筒状容器１の他端の開口１ｄの縁部に設けた雌ネジと、該雌ネジに螺合する雄ネジを外部カバー体７に設けることにより行うことができる。
そして、蓋体３によって、漏斗状の開口１ｃを覆って、筒状容器１の側面に当接して係止させるようにしている。
【００２７】
この実施例（図１４参照）の携帯用容器Ｔによれば、筒状容器１の内部に飲料粉末４を収納して携帯すれば、使用したい時に、蓋体３を外し筒状容器１の漏斗状の開口１ｃを介して飲料粉末４を適宜の量取り出して、液体に溶かして飲料することができ、使用しない時には、蓋体３により内部カバー体２を覆って、再度の使用に備えることができる。
【００２８】
そして、蓋体３には、筒状容器１の漏斗状の開口１ｃの周縁部に当接して、漏斗状の開口１ｃを封止（開口を閉鎖すること）する封止部３ａが設けられ、また、蓋体３と筒状容器１の側面との当接は、蓋体３の内壁の略全周と筒状容器１の側面の略全周となっている。
また、蓋体３の封止部３ａを筒状容器１の漏斗状の開口１ｃに当接して、漏斗状の開口１ｃを封止して、筒状容器１内の茶、コーヒー等の飲料粉末４が外部へ流出するのを防ぐことができ、仮に、漏れても、蓋体３と筒状容器１の側面との当接は、蓋体３の内壁の略全周と筒状容器１の側面の略全周であるため、漏れた飲料粉末４が蓋体３の外へ流出するのを防ぐことができる。
【００２９】
また、図５に示すように、例えば、使用者が筒状容器１内に袋６から飲料粉末４を入れるようにしたが、本願発明にあっては、これに限らず、予め、一端が閉塞し、他端が開口すると共に、内部に茶、コーヒー等の飲料粉末を収納する筒状容器１が交換式のカートリッジになっていて、交換前にあっては、前記開口が覆い部材１０により封止されているようにしても良い（図１５参照）。
なお、使用にあっては、図１５記載の筒状容器１から覆い部材１０の封止を解除し、内部カバー体２、蓋体３を取り付けるようにする（図１６参照）。
【００３０】
即ち、覆い部材１０と筒状容器１とは、例えば、覆い部材１０に設けられた雌ねじ１０ａ、筒状容器１に設けられた雄ねじ１ａ（雄ねじ１ａと雌ねじ１０ａとは螺合する関係になっている。）により、開閉自在となっている。
そして、筒状容器１の端部より覆い部材１０を取り外し、筒状容器１の雄ねじ１ａに内部カバー体２に設けられた雌ねじ２ｃを螺合させ、蓋体３により内部カバー体２を覆って、内部カバー体２（又は筒状容器１）の側面に当接して係止させる。また、蓋体３には、上述の実施例と同様、封止部３ａが設けられ、封止部３ａにより内部カバー体２の先端の開口部２ａの周縁部に当接して、開口２ａを封止（開口を閉鎖すること）するようにしている。
【００３１】
図１５及び図１６において、筒状容器１を交換式のカートリッジとした場合、筒状容器１を安価に製作し、図１７に示す外周覆い体Ｒにより、筒状容器１の外周を略全体に亘って覆うようにし、外周覆い体Ｒを高級感を持った素材、高級感を有したデザイン等で形成するようにしても良い。
【符号の説明】
【００３２】
Ｔ      携帯用容器
１      筒状容器
２      内部カバー体
３      蓋体
【図１】
2011126584.tif 000003
【図２】
2011126584.tif 000004
【図３】
2011126584.tif 000005
【図４】
2011126584.tif 000006
【図５】
2011126584.tif 000007
【図６】
2011126584.tif 000008
【図７】
2011126584.tif 000009
【図８】
2011126584.tif 000010
【図９】
2011126584.tif 000011
【図１０】
2011126584.tif 000012
【図１１】
2011126584.tif 000013
【図１２】
2011126584.tif 000014
【図１３】
2011126584.tif 000015
【図１４】
2011126584.tif 000016
【図１５】
2011126584.tif 000017
【図１６】
2011126584.tif 000018
【図１７】
2011126584.tif 000019